(57)【要約】【課題】室内の下部を効果的に暖めることができ、しかも、室内の開放感も阻害されることのない暖房装置を提供する。【解決手段】建物の室内側を向く壁面２の下部に沿って設けられる巾木３と、この巾木３の内部または巾木と前記壁面２との間に挿入されたヒータ４とを備える。これによって、室内の下部を効果的に暖めることができる。また、ヒータ４は巾木３によって隠されるので、従来のようにヒータが天井部分から下方に突出したものと異なり、室内の開放感も阻害されることはなく、外観もよい。【選択図】　　　　図１
2004138288.tif 000002
【特許請求の範囲】
【請求項１】
建物の室内側を向く壁面の下部に沿って設けられる板状部材と、
この板状部材の内部または板状部材と前記壁面との間に挿入されたヒータとを備えることを特徴とする暖房装置。
【請求項２】
家具の台輪と、
この台輪の内部または台輪の裏面に設けられたヒータとを備えることを特徴とする暖房装置。
【請求項３】
請求項１に記載の暖房装置において、
前記板状部材は巾木であり、この巾木は平面視で室内のほぼ全周に沿って設けられ、
この巾木の内部または巾木と前記壁面との間に挿入されている前記ヒータは、平面視で室内のほぼ全周に沿って設けられていることを特徴とする暖房装置。
【請求項４】
請求項３に記載の暖房装置において、
平面視で室内のほぼ全周に沿って設けられたヒータが、巾木の一部欠落によって分断されている場合は、分断されたヒータが接続コードによって接続されていることを特徴とする暖房装置。
【請求項５】
請求項１に記載の暖房装置において、
前記板状部材は巾木であり、室内には台輪を備えた家具がその台輪を前記巾木と連続させて設置されており、
前記巾木と台輪は平面視で室内のほぼ全周に沿って設けられ、
前記巾木の内部または巾木と前記壁面との間に挿入されているヒータと、前記台輪の内部または台輪の裏面に設けられたヒータとは平面視で室内のほぼ全周に沿って設けられていることを特徴とする暖房装置。
【請求項６】
請求項５に記載の暖房装置において、
平面視で室内のほぼ全周に沿って設けられたヒータが、巾木の一部欠落、台輪を有しない家具の設置によって分断されている場合は、分断されたヒータが接続コードによって接続されていることを特徴とする暖房装置。
【請求項７】
請求項３〜６のいずれか一項に記載の暖房装置において、
前記巾木は、セルロース系微粉粒と樹脂とを混合、溶融して押出し成形したものであることを特徴とする暖房装置。
【請求項８】
請求項１に記載の暖房装置において、
前記板状部材は、腰壁パネルであり、この腰壁パネルの内部または腰壁パネルと前記壁面との間に前記ヒータが挿入されていることを特徴とする暖房装置。
【請求項９】
壁面に固定されている既存巾木に新規の巾木が被せられており、この新規の巾木と既存巾木との間または新規の巾木の内部にヒータが挿入されていることを特徴とする暖房装置。
【請求項１０】
請求項１〜９のいずれか一項に記載の暖房装置において、
前記ヒータは、線状または板状をなしていることを特徴とする暖房装置。
【発明の詳細な説明】
【０００１】
【発明の属する技術分野】
本発明は、住宅等の建物の室内用の暖房装置に関するものである。
【０００２】
【背景の技術】
室内用の暖房装置の一例として、室内の天井部分に遠赤外線パネルヒータを設置し、室内を輻射暖房する構成において、遠赤外線パネルヒータを、天井面に対して傾斜して配置することにより、他の電気ヒータやガスヒータやエアコンディショナーよりも速く、スイッチを入れるだけで、赤外線パネルヒータからの輻射光線による暖房を開始することができる（例えば、特許文献１参照。）。
【０００３】
【特許文献１】
特開平９−２１０３８７号公報
【０００４】
【発明が解決しようとする課題】
しかし、上記工法に記載の技術では、パネルヒータが天井部分に設置されているので、暖かい空気が室内の上部に滞留し易く、室内の下部が温まり難いという問題がある。
また、パネルヒータが天井部分から下方に突出しているので、特に天上高が低い室内では、パネルヒータによって多少なりとも圧迫感を受け易く、室内の開放感が阻害されるという問題もある。
【０００５】
本発明は上記事情に鑑みてなされたもので、室内の下部を効果的に暖めることができ、しかも、室内の開放感も阻害されることのない暖房装置を提供することを目的としている。
【０００６】
【課題を解決するための手段】
上記目的を達成するために、請求項１に記載の発明は、例えば図１および図２に示すように、建物の室内側を向く壁面２の下部に沿って設けられる板状部材３と、
この板状部材３の内部または板状部材３と前記壁面２との間に挿入されたヒータ４とを備えることを特徴とする。
【０００７】
ここで、板状部材３としては、例えば巾木３が挙げられるが、この巾木３以外にも腰壁パネル等が挙げられる。
また、ヒー４としては、例えば遠赤外線放射型のヒータが挙げられるが、これに限ることはなく、プラスチック発熱体からなるヒータを使用してもよい。このプラスチック発熱体は、電気が流れると発熱し、一定の温度に上昇すると炭素粒子の配列が変化して電気他抵抗値が急激に増大し、電気の流れを自動的に制限するという、自己温度制御機能を有しているとともに、自由な形に成形できるという利点がある。
【０００８】
請求項１に記載の発明によれば、室内側を向く壁面２の下部に沿って設けられる板状部材３の内部または板状部材３と壁面２との間にヒータ４を挿入したので、室内の下部を効果的に暖めることができる。
また、ヒータ４は板状部材３によって隠されるので、従来のようにヒータが天井部分から下方に突出したものと異なり、室内の開放感も阻害されることはなく、外観もよい。
【０００９】
請求項２に記載の発明は、例えば図１２および図１３に示すように、家具（例えば洗面台２５、流し台２６）の台輪２５ｂ，２６ｂと、この台輪２５ｂ，２６ｂの内部または台輪２５ｂ，２６ｂの裏面に設けられたヒータ２７とを備えることを特徴とする。
【００１０】
家具としては、収納家具等は勿論のこと、台所の流し台、洗面所の洗面台等も含む。
【００１１】
請求項２に記載の発明によれば、家具の台輪２５ｂ，２６ｂの内部または裏面にヒータ２７を設けたので、室内の下部を効果的に暖めることができる。特に、家具が流し台２６や洗面台２５の場合は、その下部が暖められるので、冬場での流し台２６や洗面台２５での作業が行い易い。
【００１２】
請求項３に記載の発明は、例えば図１および図２に示すように、請求項１に記載の暖房装置において、
前記板状部材３は巾木３であり、この巾木３は平面視で室内のほぼ全周に沿って設けられ、
この巾木３の内部または巾木３と前記壁面２との間に挿入されている前記ヒータ４は、平面視で室内のほぼ全周に沿って設けられていることを特徴とする。
【００１３】
請求項３に記載の発明によれば、巾木３が室内のほぼ全周に沿って設けられており、この巾木３の内部または巾木３と前記壁面２との間に挿入されている前記ヒータ４が、平面視で室内のほぼ全周に沿って設けられているので、室内全体の下部を囲むようにしてヒータ４が配置されることになり、よって、室内全体を均一に暖めることができる。
【００１４】
請求項４に記載の発明は、例えば図１６および図１７に示すように、請求項３に記載の暖房装置において、
平面視で室内のほぼ全周に沿って設けられたヒータが、巾木３の一部欠落によって分断されている場合は、分断されたヒータが接続コード３６によって接続されていることを特徴とする。
【００１５】
ここで、巾木３の一部欠落とは、例えば、壁にドア２ｂや引戸、さらには掃出しサッシ２ｃ等の開口部が設けられ、この開口部によって巾木３が連続せずに巾木３の一部が欠落していることをいう。そして、巾木が一部欠落することによって、この欠落部において、ヒータは分断されるので、この分断されたヒータを接続コード３６によって電気的に接続するのである。
また、接続コードは、開口部下の床に埋設するのが望ましい。
【００１６】
請求項４に記載の発明によれば、平面視で室内のほぼ全周に沿って設けられたヒータが、巾木３の一部欠落によって分断されていても、これら分断されたヒータは接続コード３６によって接続されているので、ヒータは電気的に連続したものとなり、このヒータには、一つのコンセント等の電源から電気を供給できる。つまり、ヒータが平面視で室内のほぼ全周に沿って設けられており、巾木３の一部欠落によって分断されていても、接続コード３６によってヒータは連続したものとなるので、一つの電源からヒータに電気を供給できる。
【００１７】
請求項５に記載の発明は、例えば図１８に示すように、請求項１に記載の暖房装置において、
前記板状部材は巾木３であり、室内には台輪２５ｂを備えた家具（例えば洗面台２５）がその台輪２５ｂを前記巾木３と連続させて設置されており、
前記巾木３と台輪２５ｂは平面視で室内のほぼ全周に沿って設けられ、
前記巾木３の内部または巾木３と前記壁面４５との間に挿入されているヒータと、前記台輪２５ｂの内部または台輪２５ｂの裏面に設けられたヒータとは平面視で室内のほぼ全周に沿って設けられていることを特徴とする。
【００１８】
請求項５に記載の発明によれば、室内の壁面に設けられた巾木３と、室内に設置された家具の台輪２５ｂとが、平面視で室内のほぼ全周に沿って設けられ、巾木３のヒータと台輪２５ｂのヒータとが平面視で室内のほぼ全周に沿って設けられているので、室内全体の下部を囲むようにしてヒータが配置されることになり、よって、室内全体を均一に暖めることができる。
【００１９】
請求項６に記載の発明は、例えば図１８および図１９に示すように、請求項５に記載の暖房装置において、
平面視で室内のほぼ全周に沿って設けられたヒータが、巾木３の一部欠落、台輪を有しない家具（例えば洗濯機４６、冷蔵庫５２）の設置によって分断されている場合は、分断されたヒータが接続コード４８，５４によって接続されていることを特徴とする。
【００２０】
ここで、台輪を有しない家具としては、例えば、洗濯機４６や冷蔵庫５２等の大型家電製品が挙げられるが、これに限ることはない。このような大型家電製品等の家具は通常壁に沿って設置されるが、この家具の設置によってヒータは分断されるので、この分断されたヒータを接続コードによって電気的に接続するのである。
【００２１】
請求項６に記載の発明によれば、平面視で室内のほぼ全周に沿って設けられたヒータが、巾木３の一部欠落、台輪を有しない家具（例えば洗濯機４６、冷蔵庫５２）の設置によって分断されていても、これら分断されたヒータは接続コード４８，５４によって接続されているので、ヒータは電気的に連続したものとなり、このヒータには、一つのコンセント等の電源から電気を供給できる。
つまり、ヒータが平面視で室内のほぼ全周に沿って設けられており、巾木３の一部欠落や家具の設置によって分断されていても、接続コード４８，５４によってヒータは連続したものとなるので、一つの電源からヒータに電気を供給できる。
【００２２】
請求項７に記載の発明は、請求項３〜６のいずれか一項に記載の暖房装置において、
前記巾木３，１５，１７，３２は、セルロース系微粉粒と樹脂とを混合、溶融して成形したものであることを特徴とする。
【００２３】
ここで、前記セルロース系微粉粒とは、例えば、木材の粗粉砕物、バカスの祖粉砕物、稲藁の粗粉砕物等における各種植物細胞体の原料材粗粉砕物を出発原料とし、これを磨砕処理することによって得ることができる。
磨砕処理とは、粉砕処理と研磨処理とを併せ持つ処理を言うものであり、これら粉砕処理と研磨処理とを同時に行う処理であっても、粉砕処理を行った後、研磨処理を行う二工程からなる処理であってもよい。すなわち、ここで言う磨砕処理とは、後述するように、粗粉砕物から微粉砕物にする粉砕処理と、微粉際された粉粒を、繊維状態のものが絡み合い、その表面が繊毛で覆われている状態の粉粒形状から、表面に繊毛が少ない状態となるように表面研磨する研磨処理とを併せた処理を指している。
前記セルロース系微粉粒は、上記のように磨砕処理により粒径状に形成されることで、通常の木粉のような繊毛上の突出部分が少なくなり、水（湿気を含む）や溶剤などを吸着しにくくなっている。
【００２４】
また、前記樹脂とは、硬質樹脂や軟質樹脂のことであり、塩化ビニル樹脂、発泡塩化ビニル樹脂、ポリエチレン樹脂、ポリプロピレン樹脂、フェノール樹脂、ウレタン樹脂、ポリウレタン樹脂、ＡＢＳ樹脂、ポリスチレン樹脂等が用いられるが、中でも塩化ビニル樹脂、ポリエチレン樹脂、ポリプロピレン樹脂が、成形部材を形成するには好適である。
【００２５】
請求項７に記載の発明によれば、巾木３，１５，１７，３２が、セルロース系微粉粒と樹脂とを混合、溶融して押出し成形したものであるので、巾木に防腐性や木質感を付与することができる。また、押出し成形したものであるので、押出し方向において同一断面形状が連続するので、巾木内にヒータを連続して挿入することができる。
【００２６】
請求項８に記載の発明は、例えば図１４および図１５に示すように、請求項１に記載の暖房装置において、
前記板状部材は、腰壁パネル３４であり、この腰壁パネル３４の内部または腰壁パネル３４と前記壁面３０ａとの間に前記ヒータ３５が挿入されていることを特徴とする。
【００２７】
請求項８に記載の発明によれば、腰壁パネル３４の内部または腰壁パネル３４と記壁面３０ａとの間にヒータ３５を挿入したので、巾木３の場合のように室内のほぼ全周に設けなくても、ヒータ３５の面積を大きくとることができ、よって、トイレや洗面所等の比較的狭い室内を効果的に暖めることができる。
【００２８】
請求項９に記載の発明は、例えば図１０および図１１に示すように、壁面２に固定されている既存巾木２０に新規の巾木２１が被せられており、この新規の巾木２１と既存巾木２０との間または新規の巾木２１の内部にヒータ２２が挿入されていることを特徴とする。
【００２９】
請求項９に記載の発明によれば、新規の巾木２１と既存巾木２０との間または新規の巾木２１の内部にヒータ２２が挿入されているので、室内のリフォームの場合にも、室内の下部を効果的に暖めることができる暖房装置を容易に設置できる。
【００３０】
請求項１０に記載の発明は、図３、図７および図８に示すように、請求項１〜９のいずれか一項に記載の暖房装置において、前記ヒータは、線状（線状ヒータ１６）または板状（板状ヒータ４）をなしていることを特徴とする。
【００３１】
請求項１０に記載の発明によれば、ヒータ１６、４が線状または板状をなしているので、巾木３の内部、巾木３と壁面２との間、台輪の内部、台輪２５ｂ，２６ｂの裏面等の狭い場所であってもヒータ１６、４を容易に設けることができる。
【００３２】
【発明の実施の形態】
以下、図面を参照して本発明の暖房装置の実施の形態について説明する。
（第１の実施の形態）
図１は、本発明に係る暖房装置を備えた室内を示す図である。図１に示すように、室内側を向く壁面２の下部には、巾木３が平面視で室内のほぼ全周に沿って設けられている。また、壁面２には、ドア２ａが設けられていおり、このドア２ａによって巾木３は一部欠落しており、室内の全周に沿って連続して設けられておらず、ほぼ全周に沿って設けられているのである。
【００３３】
巾木３は、図２に示すように、断面コ字状をなす長尺なものであり、セルロース系微粉粒と樹脂とを混合、溶融して押出し成形したものである。このような巾木３を製造するには、例えば、住宅等の建物を解体した際に排出される木質廃材や家具を解体した際に排出される木質廃材、建物建築中に排出される木材の端材、おが屑等の不純物を含む木質廃材を周知の粉砕装置で粉砕することにより、セルロース系微粉粒を得る。
一方、例えば、飲料物を含む食品の容器や包装、トレイ等も周知の粉砕装置で粉砕することにより、ポリプロピレン樹脂、ポリ塩化ビニル樹脂、ポリエチレン樹脂、発泡塩化ビニル樹脂、ポリスチレン樹脂、ＡＢＳ樹脂等の樹脂を得る。
【００３４】
そして、セルロース系微粉粒と樹脂とを混合し、この混合材料を押出成形機で加熱溶融させて押出成形することによって、断面コ字状に成形された長尺な巾木本体を製造し、この巾木本体の表面に、塗装やサンディング処理を施すことによって、木質感のある巾木３を製造する。
【００３５】
このようにして製造された巾木３の裏面の凹所には、ヒータ４がはめ込まれている。ヒータ４は帯板状をなす遠赤外線ヒータであり、巾木の長手方向に長尺に形成されている。また、巾木３の裏面はヒータ４をはめ込んだ状態でほぼ平らになっており、このヒータ４付きの巾木３は平らな裏面に設けられた両面テープや接着剤等の接着層５を介して、壁面２に固定されている。また、このようなヒータ４は、平面視で室内のほぼ全周に沿って設けられている。つまり、巾木３の裏面凹所には全てヒータ４がはめ込まれている。そして、巾木３とヒータ４とによって本発明に係る暖房装置が構成されている。
【００３６】
また、巾木３は、図３および図４に示すように取付金具６を介して壁面２に固定してもよい。すなわち、この取付金具６は上下に長尺なピース状の金具であり、その上下端部にはそれぞれ、巾木３を係合させるための係合突起６ａが形成されている。
一方、巾木３の両端部の内側には、前記係合突起６ａに外側から係合する係合部３ａが巾木３の長手方向に沿って形成されている。この巾木３の裏面にはヒータ４が接着剤や両面テープ等によって固定されている。
【００３７】
そして、巾木３を壁面２に固定する場合、図４に示すように、まず、取付金具６をビス７によって壁面２の下部に固定する。この場合、ビス７は上下２本取付け壁面２ａにねじ込む。このような取付金具６は、巾木３の長手方向に所定間隔で、かつ、上下の位置を合わせて複数固定する。
次に、壁面２に固定された複数の取付金具６に、ヒータ４付きの巾木３を取りつける。この場合、取付金具６の係合突起６ａに、巾木３の係合部３ａを外側から係合することによって取付ける。
【００３８】
また、巾木３を取付金具６によって壁面２に固定する場合、図５に示すような方法で行ってもよい。
すなわち、まず、複数の取付金具６をビス７によって壁面２に、巾木３の長手方向に所定間隔で、かつ、上下の位置を合わせて複数固定する。次に、これら取付金具６にヒータ４を接着剤や両面テープ等で固定し、その後、同取付金具６に上記と同様にして巾木３を取付ける。
このように、壁面２に固定した複数の取付金具６に帯板状のヒータ４を取付けることによって、室内のコーナ部におけるヒータ４のジョイントが容易となる。つまり、図４に示すように、巾木３にヒータ４を取り付けておけば、ヒータ４を現場で取付ける手間は省けるが、逆に室内のコーナ部では、巾木３にヒータ４が取り付けられているのでコーナを挟んで隣り合うヒータどうしの接続が容易でないが、図５に示すような方法では、壁面２に固定された取付金具６にヒータ４を取付けており、その状態では巾木３は取り付けていないので、室内のコーナ部におけるヒータどうしのジョイントが容易となる。
【００３９】
また、図１に示すように室内の壁面２には、ドア２ａ近くの巾木３上に、コンセント１０が設けられており、このコンセント１０がヒータ４の電源とされている。すなわち、図６に示すように、壁面２を形成する間仕切壁１１の内部には、ヒータ４のコード４ａが引き回されており、このコード４ａはコンセント１０に裏側から接続され、さらに、壁面２に取り付けられたコントローラ１２に接続されている。このコントローラ１２は、ヒータ４をｏｎ・ｏｆｆしたり、ヒータ４の温度を制御するもので、室内の照明用のスイッチ１３と隣接した位置に取付けられている。
【００４０】
本実施の形態の暖房装置では、室内側を向く壁面２の下部に沿って設けられる巾木３の内部にヒータ４を挿入したので、室内の下部を効果的に暖めることができる。
また、ヒータ４は巾木３によって隠されるので、従来のようにヒータが天井部分から下方に突出したものと異なり、室内の開放感も阻害されることはなく、外観もよい。
【００４１】
なお、本実施の形態では、断面コ字状の巾木３の内部に帯板状のヒータ４を設けた場合を例にとって説明したが、図７および図８に示すように、巾木の断面形状が異なる場合は、線状（棒状）のヒータを使用してもよい。
すなわち、図７に示す巾木１５は、裏面に複数の凸条１５ａが所定間隔で平行に形成されるとともに、両側部にそれぞれフランジ部１５ｂが形成されたものである。このような巾木１５では、隣り合う凸条１５ａ，１５ａ間に棒状の遠赤外線ヒータ１６が挿入されることで保持されている。
また、巾木１５は、そのフンランジ部１５ｂ，１５ｂを壁面２に接着やビス止めすることによって固定されている。
【００４２】
図８に示す巾木１７は、内部に複数の円筒状の空洞１７ａが所定間隔で平行に形成されるとともに、両側部にそれぞれフランジ部１７ｂが形成されたものである。このような巾木１７では、所定の空洞１７ａに棒状の遠赤外線ヒータ１６が挿入されることで保持されている。
また、巾木１７は、そのフンランジ部１７ｂ，１５ｂや裏面を壁面２に接着やビス止めすることによって固定されている。
【００４３】
図７および図８に示す暖房装置では、第１の実施の形態の暖房装置と同様の効果が得られる他、ヒータ１６を挿入するための、凸条１５ａ，１５ａ間、空洞１７ａが複数あるので、巾木１５、１７に挿入するヒータ１６の本数を調整することができ、これによって、暖房装置の能力を調整できるとい利点がある。
【００４４】
また、本実施の形態では、ヒータ４のコード４ａをコンセント１０に裏側から接続するようにしたが、これに限ることなく、例えば図９に示すように、ヒータ４のコード４ａを巾木３に形成した穴３ａから引き出して、コンセント１０に正面側から接続するようにしてもよい。ヒータ４のスイッチ４ｂは、巾木３に設けられている。
このようにすれば、ヒータ４のコード４ａを間仕切壁内を引き回すことなく、容易に電源としてのコンセント１０に接続できる。
【００４５】
（第２の実施の形態）
図１０および図１１は本発明の暖房装置の第２の実施の形態を説明するための図である。この第２の実施の形態では、室内のリフォーム用としての暖房装置を設置している。
すなわち、壁面２の下部には、既存巾木２０が固定されている。この既存巾木２０には、新規の巾木２１が被せられている。この新規の巾木２１は断面略コ字状の長尺なものであり、前記巾木３と同様の素材で形成されている。新規の巾木２１の一方の側部２１ａは他方の側部２１ｂより長く形成されており、一方の側部２１ａの裏面側には、図１１に示すように、切込部２１ｃが複数形成されている。切込部２１ｃは、巾木２１の長手方向に延びるようにして形成されたもので、所望の切込部２１ｃから側部２１ａの一部を切り落とすことによって、側部２１ａの長さを調整できるようになっている。
【００４６】
また、新規の巾木２１の上下方向の高さは、既存巾木２０より高く形成されており、新規巾木２１の裏面の凹所には、ヒータ２２がはめ込まれている。ヒータ２２は帯板状をなす遠赤外線ヒータであり、巾木２１の長手方向に長尺に形成されている。
このようなヒータ２２がはめ込まれた巾木２１を、既存巾木２０に被せる場合、巾木２１の下側の側部２１ｂを既存巾木２０に当接するとともに、巾木２１の上側の側部２１ａを、その先端部が壁面２に当接するような長さとなるように、所定の切込部２１ｃから側部２１ａの一部を切り落とすことによって、側部２１ａの長さを調整する。そして、側部２１ａの長さが調整された巾木２１を既存巾木２０に被せるとともに、側部２１ａの先端面を壁面２に接着剤や両面テープ等によって固定するとともに、側部２１ｂの先端面を既存巾木２０の表面に接着剤や両面テープ等によって固定する。
【００４７】
このように、本実施の形態では、新規の巾木２１の内部にヒータ２２が挿入されており、この巾木２１を既存巾木２０に被せるので、室内のリフォームの場合にも、室内の下部を効果的に暖めることができる暖房装置を容易に設置できる。なお、本実施の形態では、巾木２１の裏面の凹所に予めヒータ２２を挿入固定したおいたが、これに限ることなく、巾木２１を既存巾木２０に被せる際に、この新規の巾木２１と既存巾木２０との間にヒータ２２を挿入し、このヒータ２２を既存巾木２０と新規の巾木２１と挟み付けるようにして固定してもよい。
【００４８】
（第３の実施の形態）
図１２および図１３は本発明の暖房装置の第３の実施の形態を説明するための図である。この第３の実施の形態では、家具の台輪とヒータによって暖房装置を構成している。
すなわちまず、符号２５は洗面台（家具）、符号２６は流し台（家具）を示す。洗面台２５は、本体部２５ａと台輪２５ｂとによって構成され、流し台２６も本体部２６ａと台輪２６ｂとによって構成されている。台輪２５ｂ，２６ｂはそれぞれ本体部２５ａ，２６ａを支持するものであり、床上に設置されている。
【００４９】
台輪２５ｂ，２６ｂは、断面が長方形状の長尺なものであり、本体部２５ａ，２６ａの下面外周に沿って設けられ、該下面に固定されている。台輪２５ｂ，２６ｂの裏面には、図１３に示すように、ヒータ２７が接着やビス止め等によって固定されている。ヒータ２７は帯板状をなす遠赤外線ヒータであり、台輪２５ｂ，２６ｂの長手方向に長尺に形成されている。
また、台輪２５ｂ，２６ｂは、本体部２５ａ，２６ａの下面外周に沿って設けられているが、この台輪２５ｂ，２６ｂの裏面のヒータ２７は、全外周に沿って設けられているのではなく、正面側の台輪２５ｂ，２６ｂの裏面に設けられている。これは、洗面台２５や流し台２６は、通常その正面側で人が立って作業するものであり、側面は壁やその他の家具に隣接している場合が多く、この側面側の台輪２５ｂ，２６ｂの裏面にヒータ２７を設けても、効果的に暖房できないからである。
【００５０】
本実施の形態によれば、台輪２５ｂ，２６ｂの裏面にヒータ２７を設けたので、室内の下部を効果的に暖めることができる。特に、台輪２５ｂ，２６ｂで支持される家具が、洗面台２５や流し台２６であるので、その下部が暖められ、冬場での洗面台２５や流し台２６での作業が行い易い。
【００５１】
（第４の実施の形態）
図１４および図１５は、本発明の暖房装置の第４の実施の形態を説明するための図である。この第４の実施の形態では、腰壁パネルと台輪とヒータによって暖房装置を構成している。
すなわちまず、符号３０はトイレであり、３１は便器である。トイレ３０の壁面３０ａには、その下部に巾木３２が固定されており、この巾木３２の上方に所定間隔を隔てて桟材３３が固定されている。
巾木３２および桟材３３はそれぞれ平面視においてトイレ３０のほぼ全周に沿って設けられており、巾木３２と桟材３３との間に複数の腰壁パネル３４が設けられている。これら腰壁パネル３４と壁面３０ａとの間にはヒータ３５が挿入されている。このヒータ３５は、板状をなす遠赤外線ヒータであり、腰壁パネル３４と、壁面３０ａとの間の所定の部位に挿入されている。つまり、腰壁パネル３４はトイレ３０のほぼ全周に沿って設けられているが、腰壁パネル３４の裏面側にあるヒータ３５はトイレ３０のほぼ全周に沿って設けられているのではなく、例えば、便器３１の側方等に位置する腰壁パネル３４の裏面側に設けられている。
【００５２】
本実施の形態によれば、腰壁パネル３４と壁面３０ａとの間にヒータ３５を挿入したので、巾木の場合のように室内のほぼ全周に設けなくても、ヒータ３５の面積を大きくとることができ、よって、トイレや洗面所等の比較的狭い室内を効果的に暖めることができる。
【００５３】
（第５の実施の形態）
図１６および図１７は、本発明の暖房装置の第５の実施の形態を説明するための図である。この第５の実施の形態では、平面視で室内のほぼ全周に沿って設けられたヒータが、巾木の一部欠落によって分断されている場合は、分断されたヒータが接続コードによって接続されている。
【００５４】
すなわち、図１６に示すように、室内の壁面２には、開口部２ｂと掃出し窓２ｃとが形成されおり、これら開口部２ｂと掃出し窓２ｃとによって、巾木３の一部が欠落している。この欠落部３７と欠落部３８とによって、巾木３は巾木３ａと巾木３ｂとによって分断されている。
したがって、これら巾木３ａの裏側にあるヒータと、巾木３ｂの裏側にあるヒータとは分断されているので、欠落部３７を介して隣り合っているヒータどうしが接続コード３６によって接続されている。
【００５５】
この接続コード３６は、図１７に示すように、床に埋設さている。すなわち、ドア２ａの下方には、隣り合う室の床仕上材３９，３９間に挿入される埋設部材４０が設けられており、この埋設部材４０の内部に接続コード３６が埋設されている。この接続コード３６の両端部はそれぞれ、欠落部３７を介して隣り合っているヒータに接続されている。また、埋設部材４０には蓋４１が被せられている。
【００５６】
本実施の形態では、平面視で室内のほぼ全周に沿って設けられたヒータが、巾木３の一部欠落によって分断されていても、これら分断されたヒータは接続コード３６によって接続されているので、ヒータは電気的に連続したものとなり、このヒータには、一つのコンセント等の電源から電気を供給できる。
つまり、ヒータが平面視で室内のほぼ全周に沿って設けられており、巾木３の一部欠落によって分断されていても、接続コード３６によってヒータは連続したものとなるので、一つの電源からヒータに電気を供給できる。
【００５７】
（第６の実施の形態）
図１８および図１９は、本発明の暖房装置の第６の実施の形態を説明するための図である。
この第６の実施の形態では、図１８に示すように、洗面所の壁面４５の下部には、巾木３が設けられており、この巾木３の裏面には、ヒータ（図示略）が設けられている。また、洗面所のコーナ部には、洗面台２５が設置されており、この洗面台２５の台輪２５ｂと、巾木３とは連続している。また、洗面台２５の正面側の台輪２５ｂの裏面にはヒータ（図示略）が設けられている。さらに、洗面台２５の横には洗濯機４６が設置されている。
【００５８】
このように巾木３と台輪２５ｂとは、平面視で洗面所内のほぼ全周に沿って設けられており、巾木３の裏側にあるヒータと、台輪３５ｂの裏側にあるヒータも平面視で洗面所内のほぼ全周に沿って設けられている。このように、巾木３のヒータと台輪３５ｂのヒータとが平面視で洗面所のほぼ全周に沿って設けられているので、洗面所全体の下部を囲むようにしてヒータが配置されることになり、よって、洗面所全体を均一に暖めることができる。
また、本実施の形態では、平面視で洗面所のほぼ全周に沿って設けられたヒータが、巾木３の一部欠落、台輪を有しない洗濯機４６の設置によって分断されている場合は、分断されたヒータが接続コードによって接続されている。
すなわち、洗面所の壁面４５には、開口部４５ｂが形成されおり、この開口部４５ｂによって、巾木３の一部が欠落しており、この欠落部４７によってヒータが分断されている。また、洗面台２５の横には洗濯機４６が設置されており、この洗濯機４６の設置によって、ヒータが分断されている。そして、分断されたヒータは接続コード４８，４８によって接続されている。
【００５９】
また、図１９に示すように、キッチンの壁面５０の下部には、巾木３が設けられており、この巾木３の裏面には、ヒータ（図示略）が設けられている。また、キッチンには、その壁面５０に沿って、流し台５１、冷蔵庫５２が隣接して設置され、さらに、流し台５１に対向して食器棚５３が設置されている。また、流し台５１の台輪５１ｂの裏面および食器棚５３の台輪５３ｂの裏面には、それぞれヒータ（図示略）が設けられている。
流し台５１の台輪５１ｂと、巾木３と、食器棚５３の台輪５３ｂとは、平面視でキッチンのほぼ全周に沿って設けられており、巾木３の裏側にあるヒータと、台輪５１ｂ，５３ｂの裏側にあるヒータも平面視でキッチンのほぼ全周に沿って設けられている。このように、巾木３のヒータと台輪５１ｂ，５３ｂのヒータとが平面視でキッチンのほぼ全周に沿って設けられているので、キッチン全体の下部を囲むようにしてヒータが配置されることになり、よって、キッチン全体を均一に暖めることができる。
【００６０】
また、本実施の形態では、平面視で室内のほぼ全周に沿って設けられたヒータが、台輪を有しない冷蔵庫５２の設置によって分断されているので、この分断されたヒータが接続コード５４によって接続されている。
【００６１】
本実施の形態によれば、平面視で室内のほぼ全周に沿って設けられたヒータが、巾木３の一部欠落、台輪を有しない家具（洗濯機４６、冷蔵庫５２）の設置によって分断されていても、これら分断されたヒータは接続コード４８，５４によって接続されているので、ヒータは電気的に連続したものとなり、このヒータには、一つのコンセント等の電源から電気を供給できる。
つまり、ヒータが平面視で室内のほぼ全周に沿って設けられており、巾木の一部欠落や家具の設置によって分断されていても、接続コード４８，５４によってヒータは連続したものとなるので、一つの電源からヒータに電気を供給できる。
【００６２】
【発明の効果】
以上説明したように、請求項１に記載の発明によれば、室内の壁面の下部に沿って設けられる板状部材の内部または板状部材と壁面との間にヒータを挿入したので、室内の下部を効果的に暖めることができる。
また、ヒータは板状部材によって隠されるので、従来のようにヒータが天井部分から下方に突出したものと異なり、室内の開放感も阻害されることはなく、外観もよい。
【００６３】
請求項２に記載の発明によれば、家具の台輪の内部または裏面にヒータを設けたので、室内の下部を効果的に暖めることができる。
【００６４】
請求項３に記載の発明によれば、巾木の内部または巾木と壁面との間に挿入されているヒータが、平面視で室内のほぼ全周に沿って設けられているので、室内全体の下部を囲むようにしてヒータが配置されることになり、よって、室内全体を均一に暖めることができる。
【００６５】
請求項４に記載の発明によれば、ヒータが平面視で室内のほぼ全周に沿って設けられており、巾木の一部欠落によって分断されていても、接続コードによってヒータは連続したものとなるので、一つの電源からヒータに電気を供給できる。
【００６６】
請求項５に記載の発明によれば、巾木のヒータと台輪のヒータとが平面視で室内のほぼ全周に沿って設けられているので、室内全体の下部を囲むようにしてヒータが配置されることになり、よって、室内全体を均一に暖めることができる。
【００６７】
請求項６に記載の発明によれば、ヒータが平面視で室内のほぼ全周に沿って設けられており、巾木の一部欠落や家具の設置によって分断されていても、接続コードによってヒータは連続したものとなるので、一つの電源からヒータに電気を供給できる。
【００６８】
請求項７に記載の発明によれば、巾木が、セルロース系微粉粒と樹脂とを混合、溶融して押出し成形したものであるので、巾木に防腐性や木質感を付与することができる。また、押出し成形したものであるので、押出し方向において同一断面形状が連続するので、巾木内にヒータを連続して挿入することができる。
【００６９】
請求項８に記載の発明によれば、腰壁パネルの内部または腰壁パネルと記壁面との間にヒータを挿入したので、巾木の場合のように室内のほぼ全周に設けなくても、ヒータの面積を大きくとることができ、よって、トイレや洗面所等の比較的狭い室内を効果的に暖めることができる。
【００７０】
請求項９に記載の発明によれば、新規の巾木と既存巾木との間または新規の巾木の内部にヒータが挿入されているので、室内のリフォームの場合にも、室内の下部を効果的に暖めることができる暖房装置を容易に設置できる。
【００７１】
請求項１０に記載の発明によれば、ヒータが線状または板状をなしているので、巾木の内部、巾木と壁面との間、台輪の内部、台輪の裏面等の狭い場所であってもヒータを容易に設けることができる。
【図面の簡単な説明】
【図１】本発明に係る暖房装置を説明するもので、暖房装置を設置する室内を示す斜視図である。
【図２】同、巾木の要部を示す斜視図である。
【図３】同、巾木の変形例を示す斜視図である。
【図４】同、巾木を壁面に取付ける方法を説明するための断面図である。
【図５】同、巾木を壁面に取付ける他の方法を説明するための断面図である。
【図６】同、間仕切壁の断面図である。
【図７】同、巾木の変形例を示す斜視図である。
【図８】同、巾木の変形例を示す斜視図である。
【図９】同、巾木とコンセントを示す要部の斜視図である。
【図１０】同、既存巾木に新規巾木を被せた状態を示す断面図である。
【図１１】同、新規巾木の要部の斜視図である。
【図１２】同、台輪を備えた家具を示す斜視図である。
【図１３】同、台輪の裏面側を示す斜視図である。
【図１４】同、暖房装置を設置するトイレを示す斜視図である。
【図１５】同、腰壁パネルとヒータの断面図である。
【図１６】同、暖房装置を設置する室内を示す斜視図である。
【図１７】同、ヒータを接続する接続コードを埋設した状態を示す断面図である。
【図１８】同、暖房装置を設置する洗面所を示す斜視図である。
【図１９】同、暖房装置を設置するキッチンを示す斜視図である。
【符号の説明】
２　壁面
３　板状部材
３，１５，１７，３２　巾木
４，１６，２２，２７，３５　ヒータ
２０　既存巾木
２１　新規の巾木
２５　洗面台（家具）
２５ｂ　台輪
２６　流し台（家具）
２６ｂ　台輪
３４　腰壁パネル
３６，４３，４８　接続コード
４６　洗濯機（台輪を有しない家具）
５１　流し台（家具）
５１ｂ　台輪
５２　冷蔵庫（台輪を有しない家具）
５３　食器棚（家具）
５３ｂ　台輪
【図１】
2004138288.tif 000003
【図２】
2004138288.tif 000004
【図３】
2004138288.tif 000005
【図４】
2004138288.tif 000006
【図５】
2004138288.tif 000007
【図６】
2004138288.tif 000008
【図７】
2004138288.tif 000009
【図８】
2004138288.tif 000010
【図９】
2004138288.tif 000011
【図１０】
2004138288.tif 000012
【図１１】
2004138288.tif 000013
【図１２】
2004138288.tif 000014
【図１３】
2004138288.tif 000015
【図１４】
2004138288.tif 000016
【図１５】
2004138288.tif 000017
【図１６】
2004138288.tif 000018
【図１７】
2004138288.tif 000019
【図１８】
2004138288.tif 000020
【図１９】
2004138288.tif 000021